(57)【特許請求の範囲】
【請求項１】
同一物である複数の保守対象装置であってそれぞれが複数の部品を有する保守対象装置における、各部品の劣化状態を監視して、劣化状態をレベルと状態により表現した劣化レベルと劣化した部品情報を含む障害情報として送信する監視装置と、
前記監視装置から送られる障害情報を受信して管理し、前記保守対象装置の保守・操作情報を提供するコンピュータ及び、情報を記憶する記憶手段により構成されるデータベースと、
前記データベースから保守・操作情報を取り出す端末とを有し、
前記記憶手段には、
前記保守対象装置毎に前記監視装置から送られる障害情報が検出時刻情報と共に記憶された障害情報ファイルと、
部品毎に劣化レベルに対応して、保守員が行うべき保守内容である事後対策情報と、次の劣化レベルに到るまでの時間と用意する部品とからなる予防対策情報が記憶されたマニュアルファイルとが含まれており、
前記コンピュータは、
障害情報が到来すると前記障害情報ファイルに、該障害情報を検出時刻情報と共に記憶する記憶処理手段と、
障害情報が到来すると、当該障害情報に含まれる部品情報及び劣化レベル情報を含む障害情報を前記障害情報ファイルから求め、求められた障害情報から所定時間前の障害情報を検索し、検索結果に他の部品に関する同一障害情報が所定数以上存在するかを検出し、所定数以上の存在が検出された場合に、「所定数以上検出された障害情報の部品とその劣化レベル情報が得られたときから前記所定時間後に前記到来した障害情報の部品がその劣化レベル情報となること及び前記到来した障害情報の部品を用意すべきこと」を前記マニュアルファイルにおける前記所定数以上検出された障害情報の部品に対応して記憶することからなる更新を行う更新手段として動作するものであることを特徴とする保守・操作情報提供システム。
【請求項２】
前記コンピュータは更新手段として、
障害情報が到来すると、当該障害情報に含まれる部品情報及び劣化レベル情報を含む障害情報を前記障害情報ファイルの各保守対象装置について求め、求められた障害情報の劣化レベル情報の前段である劣化レベル情報を含む障害情報を前記障害情報ファイルの各保守対象装置について求めて、これら各保守対象装置において前後して到来した二つの障害情報に関する時間間隔の平均計算を行って、求めた平均値を前記マニュアルファイルにおける前記到来した障害情報の部品に対応して記憶されている時間に代えて記憶することからなる更新を行うことを特徴とする請求項１に記載の保守・操作情報提供システム。
【発明の詳細な説明】
【０００１】
【発明の属する技術分野】
この発明は、各種の機器や装置さらにはシステムなどの保守・操作情報提供に用いることのできる保守・操作情報提供システムに関するものである。
【０００２】
【従来の技術】
従来、列車の車両についてビデオ撮影をした画像や同時録音した音声を基に保守や点検を行った結果は、テキスト形式の情報にてファイル化して保存するのが通例である。一方、上記の点検結果について報告を受ける上司等は、テキスト形式の情報を受けて内容を検討し対策をとるのであるが、ビデオ撮影をした画像や同時録音した音声による確認を取りたい場合がある。
【０００３】
しかしながら、ビデオ撮影をした画像や同時録音した音声のデータはビデオ保存室等の別の場所にある場合が多く、煩わしいものであった。また、ビデオテープのどこに録画されているか不明な場合も多く、検索に時間を要する問題点が発生していた。
【０００４】
【発明が解決しようとする課題】
また、各種の電子機器などに関して保守・操作情報を提供する場合には、保守・操作情報の更新を人手により行っている。このため、障害情報から更新の判断を適切に行うことが難しく、効率的な保守・操作のマニュアル等の情報を提供が行い難いという状況があった。
【０００５】
本発明は上記のような保守・操作情報提供システムの現状に鑑みてなされたもので、その目的は、テキスト形式の保守・操作情報から容易且つ適切に対応する音声・画像の保守・操作情報を提供することのできる保守・操作情報提供システムを提供することである。また、他の目的は、得られる障害情報を保守・操作のマニュアル等に生かすことのできる保守・操作情報提供システムを提供することである。
【０００６】
【課題を解決するための手段】
本発明に係る保守・操作情報提供システムは、同一物である複数の保守対象装置であってそれぞれが複数の部品を有する保守対象装置における、各部品の劣化状態を監視して、劣化状態をレベルと状態により表現した劣化レベルと劣化した部品情報を含む障害情報として送信する監視装置と、前記監視装置から送られる障害情報を受信して管理し、前記保守対象装置の保守・操作情報を提供するコンピュータ及び、情報を記憶する記憶手段により構成されるデータベースと、前記データベースから保守・操作情報を取り出す端末とを有し、前記記憶手段には、前記保守対象装置毎に前記監視装置から送られる障害情報が検出時刻情報と共に記憶された障害情報ファイルと、部品毎に劣化レベルに対応して、保守員が行うべき保守内容である事後対策情報と、次の劣化レベルに到るまでの時間と用意する部品とからなる予防対策情報が記憶されたマニュアルファイルとが含まれており、前記コンピュータは、障害情報が到来すると前記障害情報ファイルに、該障害情報を検出時刻情報と共に記憶する記憶処理手段と、障害情報が到来すると、当該障害情報に含まれる部品情報及び劣化レベル情報を含む障害情報を前記障害情報ファイルから求め、求められた障害情報から所定時間前の障害情報を検索し、検索結果に他の部品に関する同一障害情報が所定数以上存在するかを検出し、所定数以上の存在が検出された場合に、「所定数以上検出された障害情報の部品とその劣化レベル情報が得られたときから前記所定時間後に前記到来した障害情報の部品がその劣化レベル情報となること及び前記到来した障害情報の部品を用意すべきこと」を前記マニュアルファイルにおける前記所定数以上検出された障害情報の部品に対応して記憶することからなる更新を行う更新手段として動作するものであることを特徴とする。
【０００７】
本発明に係る保守・操作情報提供システムは、前記コンピュータは更新手段として、障害情報が到来すると、当該障害情報に含まれる部品情報及び劣化レベル情報を含む障害情報を前記障害情報ファイルの各保守対象装置について求め、求められた障害情報の劣化レベル情報の前段である劣化レベル情報を含む障害情報を前記障害情報ファイルの各保守対象装置について求めて、これら各保守対象装置において前後して到来した二つの障害情報に関する時間間隔の平均計算を行って、求めた平均値を前記マニュアルファイルにおける前記到来した障害情報の部品に対応して記憶されている時間に代えて記憶することからなる更新を行うことを特徴とする。
【００１０】
【発明の実施の形態】
以下添付図面を参照して本発明に係る保守・操作情報提供システムを説明する。図１には、保守・操作情報提供システムの第１の実施形態である列車検査情報提供システムが示されている。このシステムは、ネットワーク１に列車検査情報データベース２と、複数のコンピュータ端末３−１〜３−ｎが接続されたシステムである。
【００１１】
列車検査情報データベース２には、ＷＷＷ（ワールド・ワイド・ウェブ）サーバ２１と、これに接続される列車検査情報サーバ２２、更に列車検査情報サーバ２２と接続されたテキストファイル２３、画像ファイル２４及び音声ファイル２５が設けられている。
【００１２】
コンピュータ端末３−１〜３−ｎには、それぞれ、Ｗｅｂ（ウェブ）ブラウザ３０−１〜３０−ｎが保持されており、ＷＷＷサーバ２１にアクセス可能となっている。また、コンピュータ端末３−１〜３−ｎには、それぞれ、表示装置４−〜４−ｎ及び入力装置５−１〜５−ｎが接続されている。
【００１３】
列車検査情報データベース２に設けられているテキストファイル２３には、図２に示されるように報告書Ｈ１〜Ｈｊがテキスト形式にて記憶されている。各報告書には、報告書番号、作成者、作成年月日、列車番号、車両番号、車両識別情報、報告内容が含まれている。報告内容には、パンタグラフ、窓、車体、車輪等に関する傷や汚れ等の情報が含まれる。従って、各報告書は、１車両毎に作成されているものである。また、報告書は、報告書番号、作成者、作成年月日、列車番号、車両番号、車両識別情報を検索条件情報として読み出し可能に記憶されている。
【００１４】
更にテキストファイル２３には、図３に示されるように、テキスト形式の情報から画像情報と音声情報を検索するためのアドレスが記憶されたテーブルが備えられている。このテーブルは、報告書Ｈ１〜Ｈｊに含まれている報告書番号と報告内容の中に登場するパンタグラフ、窓、車体、車輪等の対象をキー情報として、画像情報アドレスと音声情報アドレスを検索可能となっている。例えば、報告番号「１１１２」の車体に関する画像情報と音声情報のアドレスは、それぞれ「００３０」と「１０００８」である。
【００１５】
図４には、画像ファイル２４と音声ファイル２５の構成が示されている。画像ファイル２４と音声ファイル２５共に、各アドレスに対応して、一つの報告書に記載された車両毎のパンタグラフ、窓、車体、車輪等の１対象毎の情報が記憶されている。尚、これらの画像情報や音声情報は、車庫へ入庫する列車を幾つかのテレビカメラにより撮像し、同時に音声を録音して、これらを収集してファイル化したものである。
【００１６】
以上のように構成されたシステムにおいては、列車検査情報データベース２のＷＷＷサーバ２１と列車検査情報サーバ２２が図５のフローチャートに対応するプログラムにより動作を行い、コンピュータ端末３−１〜３−ｎが図６のフローチャートに対応するプログラムにより動作を行うので、これを説明する。ここでは、コンピュータ端末３−１の動作を説明することにより他を代表させる。
【００１７】
ＷＷＷサーバ２１は、コンピュータ端末３−１〜３−ｎからの検索要求を待っている（Ｓ１）。コンピュータ端末３−１の入力装置５−１によりＷＷＷサーバ２１へのアクセス要求と検索条件情報が入力されると、これを受けてＷｅｂブラウザ３０−１が検索要求をＷＷＷサーバ２１へ送出する（Ｓ１１）。
【００１８】
これを受けたＷＷＷサーバ２１は検索条件情報を取り出し、列車検査情報サーバ２２へ送出する（Ｓ２）。列車検査情報サーバ２２は、与えられた検索条件情報に基づきテキストファイル２３を検索して（Ｓ３）、対応情報の有無を検出する（Ｓ４）。
【００１９】
上記ステップＳ４において対応する情報が無い場合には、コンピュータ端末３−１の表示装置４−１におけるエラー表示処理を行う（Ｓ５）。一方、対応する情報が検出されると、テキストファイル２３から対応する情報（報告書）を読み出してＷｅｂブラウザ３０−１へ送出する（Ｓ６）。
【００２０】
Ｗｅｂブラウザ３０−１はこれを受け、コンピュータ端末３−１の表示装置４−１にテキスト形式の情報（報告書）を表示し（Ｓ１２）、画像情報・音声情報を要求するか検出する（Ｓ１３）。ここで、要求がなければ、他のテキスト形式の情報を要求するかを検出し（Ｓ１６）、他のテキスト形式の情報を要求することが検出されると、ステップＳ１１へ戻って処理を継続する。
【００２１】
上記ステップＳ１３において、画像情報・音声情報の要求が検出されると、Ｗｅｂブラウザ３０−１は、入力装置５−１から入力された報告書番号と報告内容の中に登場するパンタグラフ、窓、車体、車輪等の内のいずれか１の対象をキー情報として受け付け、これをＷＷＷサーバ２１へ送出する（Ｓ１４）。ＷＷＷサーバ２１は、上記のキー情報を列車検査情報サーバ２２へ転送する。
【００２２】
このとき、列車検査情報サーバ２２は先に送出した報告書に対応の画像・音声の要求があるかを検出しており（図５のステップＳ７）、キー情報を受け取ってＹＥＳへ分岐し、当該報告書内の報告書番号と報告内容の中に登場するパンタグラフ、窓、車体、車輪等の内のいずれか１の対象からなるキー情報に基づき、画像ファイル２４と音声ファイル２５とを検索して、対応の画像情報および音声情報を読み出してＷｅｂブラウザ３０−１へ送出する（Ｓ８）。
【００２３】
Ｗｅｂブラウザ３０−１はこれを受け、コンピュータ端末３−１の表示装置４−１に画像情報を表示し、図示せぬスピーカから音声情報による音声を出力し  （Ｓ１５）、他のテキスト形式の情報を要求するかを検出する（Ｓ１６）。
【００２４】
上記ステップＳ１６において、他のテキスト形式の情報が要求されなければ、終了要求が入力されるかを検出し（Ｓ１７）、終了要求が入力されなければ、ステップＳ１３へ戻って処理が続けられ、終了要求が入力されたことが検出されるとエンドとなる。
【００２５】
また、ＷＷＷサーバ２１が画像情報および音声情報を読み出してＷｅｂブラウザ３０−１へ送出した（Ｓ８）後には、終了要求が入力されたかを検出し（Ｓ９）、終了要求が入力されなければ、ステップＳ１へ戻って処理が続けられ、終了要求が入力されたことが検出されるとエンドとなる。
【００２６】
斯して本実施の形態によれば、列車の車両について検査結果の報告書を見ているときに、対応の画像・音声にて確認したい場合には、極めて容易に要求を出して画像・音声を得ることができ便利である。
【００２７】
尚、本実施の形態においては、画像・音声の双方を取り出すようにしたが、少なくともいずれか一方を取り出すものであっても良い。
【００２８】
次に、保守・操作情報提供システムの第２の実施形態である保守・点検情報提供システムを説明する。このシステムは図７に示されているように、ネットワーク１に保守データベース７と、複数のコンピュータ端末３−１〜３−ｎが接続されている。
【００２９】
保守データベース７には、ＷＷＷ（ワールド・ワイド・ウェブ）サーバ７１と、このＷＷＷサーバ７１に接続される保守・点検情報サーバ７２、更に保守・点検情報サーバ７２と接続された障害情報ファイル７３、マニュアルファイル７４が設けられている。
【００３０】
コンピュータ端末３−１〜３−ｎには、それぞれ、Ｗｅｂ（ウェブ）ブラウザ３０−１〜３０−ｎが保持されており、ＷＷＷサーバ７１にアクセス可能となっている。また、コンピュータ端末３−１〜３−ｎには、それぞれ、表示装置４−〜４−ｎ及び入力装置５−１〜５−ｎが接続されている。
【００３１】
また、保守データベース７の保守・点検情報提供サーバ７２には、遠隔監視システム８が接続されている。この遠隔監視システム８は、装置ユニットＵ１、Ｕ２、Ｕ３、・・・（図示せず）の障害を監視し、障害発生時に障害情報を送ってくる。装置ユニットＵ１、Ｕ２、Ｕ３、・・・は同一物であり、それぞれが部品ｘ、ｙ、ｚから構成される。
【００３２】
遠隔監視システム８が送ってくる障害情報は、図８に示されるように部品ｘ、ｙ、ｚ毎に定義されている。つまり、部品ｘについては、暗くなる障害を検出し、そのレベル１〜３のいずれか、または消灯状態を障害情報として送ってくる。部品ｙについては、薄くなる障害を検出し、そのレベル１〜３のいずれか、または無出力状態を障害情報として送ってくる。部品ｚについては、遅くなる障害を検出し、そのレベル１〜３のいずれか、または停止状態を障害情報として送ってくる。
【００３３】
図７のマニュアルファイル７４には、図１０に示されるように、操作マニュアル１０−１、１０−２、・・・が格納されている。操作マニュアル１０−１は、印刷に関する説明が記載されたマニュアルであり、操作マニュアル１０−２は、コピーに関する説明が記載されたマニュアルであり、その他各種の装置に関する操作マニュアルが用意されている。
【００３４】
また、図７のマニュアルファイル７４には、図１１に示されるように、保守マニュアル１１−１、１１−２、・・・が格納されている。保守マニュアルは、部品（ｘ、ｙ、ｚ）毎の状況毎に、事後対策と予防対策が記憶されたものであり、保守マニュアル１１−１は、部品ｘの状況ｐ１に対する事後対策イと予防対策ロを記憶しており、保守マニュアル１１−２は、部品ｘの状況ｐ２に対する事後対策ハと予防対策ニを記憶しており、以下同様に記憶されている。
【００３５】
より具体的には、図９に示すような情報が並べられている。図９では、部品ｘに係る部分のみを示しているのであるが、まず、部品ｘがレベル１で暗くなると、事後対策としては、洗浄を行うことがセットされており、予防対策としてはその後６月でレベル２へ進むこと、また部品ｘの部品ｐｐを用意しておくべきことがセットされている。次に、部品ｘがレベル２で暗くなると、事後対策としては、洗浄及び先にレベル１の段階で用意した部品ｐｐの交換を行うことがセットされており、予防対策としてはその後６月でレベル３へ進むこと、また部品ｘの部品ＱＱを用意しておくべきことがセットされている。
【００３６】
更に、部品ｘがレベル３で暗くなると、事後対策としては、洗浄を行うこと及びレベル２の段階で用意した部品ＱＱの交換を行うがセットされており、予防対策としてはその後６月で消灯状態へ進むこと、また部品ｘ自体を用意しておくべきことがセットされている。次に、部品ｘが消灯状態となると、事後対策としては、部品ｘ自体の交換を行うことがセットされており、予防対策としてはその後約一年で部品ｙを交換する必要があること、また部品ｙその間に用意しておくべきことがセットされている。
【００３７】
図７の障害情報ファイル７３には、図１２に示されるように装置ユニットＵ１、Ｕ２、Ｕ３、・・・毎に、発生した状況が経時的に格納されている。
【００３８】
以上のように構成されたシステムにおいて、コンピュータ端末３−１〜３−ｎから、マニュアルの要求を行って必要な操作マニュアルを得て表示装置４−１〜４−ｎへ表示することができる。例えば、装置の機種と操作内容を検索条件情報としてＷＷＷサーバ７１へ要求を送出することにより、保守・点検情報提供サーバ７２がマニュアルファイル７４を検索して対応の操作マニュアルを読み出し、ＷＷＷサーバ７１を介して対応のＷｅｂブラウザ３０（３０−１〜３０−ｎの該当のもの）へ返送を行い表示に供する。
【００３９】
また、装置の障害情報を検索条件情報としてＷＷＷサーバ７１へ要求を送出することにより、保守・点検情報提供サーバ７２がマニュアルファイル７４を検索して対応の保守マニュアルを読み出し、ＷＷＷサーバ７１を介して対応のＷｅｂブラウザ３０（３０−１〜３０−ｎの該当のもの）へ返送を行い表示に供する。例えば、装置ユニットＵ２において消灯が生じたことをコンピュータ端末３−２から入力して保守マニュアルを要求すると、図９を用いて説明した部品ｘが消灯状態に関する事後対策と予防対策を取り出すことができる。
【００４０】
保守データベース７の保守・点検情報提供サーバ７２は、図１３〜図１５に示すフローチャートに対応のプログラムにより動作を行うので、以下に説明する。まず、情報を受け付けてその情報がマニュアル要求であるのか、または障害情報であるのかを検出する（Ｓ２１）。ここで、マニュアル要求であることを検出すると、マニュアルの表示処理を前述の通りに行う（Ｓ２２）。
【００４１】
ステップＳ２１において、障害情報の到来を検出すると、障害情報ファイル７３へ記憶する（Ｓ２３）。つまり、障害情報は遠隔監視システム８から到来し、装置ユニットＵ１、Ｕ２、Ｕ３、・・・のいずれかを示す識別情報が付加されている。そこで、図１２に示される障害情報ファイル７３の装置ユニットＵ１、Ｕ２、Ｕ３、・・・毎の格納エリアのうち該当するエリアに、経時的に格納することになる。
【００４２】
次に、当該障害情報の内容である部品と同一部品に関する履歴を、障害情報ファイル７３の全装置ユニットＵ１、Ｕ２、Ｕ３、・・・に関して調べ、統計処理を行い、保守マニュアルの更新を行い（Ｓ２４）、次に、当該障害情報の内容である部品と異なる部品に関する履歴を、障害情報ファイル７３の全装置ユニットＵ１、Ｕ２、Ｕ３、・・・に関して調べ、統計処理を行い、保守マニュアルの更新を行い（Ｓ２５）、エンドとなる。
【００４３】
具体的には、ステップＳ２４の処理は、図１４に示すようになる。つまり、同一障害、例えば、部品ｘの消灯状態が生じた場合、その前に部品ｘにおいてレベル３にて暗くなることが定義されていることから、この時間間隔を求め再度平均を求めて予防対策を更新する（Ｓ２６）。従って、図９の例では、レベル３にて暗くなってから６月（寿命時間）で消灯状態と定義されているが、これが５月或いは７月へ変更される。
【００４４】
また、ステップＳ２５の処理は、詳細には図１５に示されるようになる。例えば、部品ｙが無出力状態となった場合に、それより前に生じた他の部品（ｘ、ｚ）に関する障害を障害情報ファイル７３の全装置ユニットＵ１、Ｕ２、Ｕ３、・・・に関して調べ、例えば、部品ｘがそれより約１年前に消灯状態となっている事案を検出する。
【００４５】
係る連鎖と見られる事案の発生回数が予め定められたＭ回以上発生しているかを調べる（Ｓ２７）。Ｍ回以上発生していなければ、保守マニュアルを更新することなくエンドとなる。しかし、Ｍ回以上発生していれば、係る連鎖に係る事案を予防対策にセットして保守マニュアルを更新する（Ｓ２８）。
【００４６】
上記の例で説明すると、部品ｙが無出力状態となるより約１年前に部品ｘが消灯状態となっている事案がＭ回以上発生していれば、図９に示すように、部品ｘの保守マニュアルにおいて、部品ｘが消灯状態となると、予防対策としてはその後約一年で部品ｙを交換する必要があること、また部品ｙその間に用意しておくべきことをセットする更新を行う。
【００４７】
このようにして、連鎖に係る事案を予測して適切な保守を行うことが可能となる。尚、本実施の形態では遠隔監視システム８から障害情報を得るようにしたが、コンピュータ端末３−１〜３−ｎから障害情報を得るようにしても良いことは勿論である。
【００４９】
【発明の効果】
以上説明したように本発明に係る保守・操作情報提供システムによれば、障害情報が到来すると、当該障害情報に含まれる部品情報及び劣化レベル情報を含む障害情報を前記障害情報ファイルから求め、求められた障害情報から所定時間前の障害情報を検索し、検索結果に他の部品に関する同一障害情報が所定数以上存在するかを検出し、所定数以上の存在が検出された場合に、「所定数以上検出された障害情報の部品とその劣化レベル情報が得られたときから前記所定時間後に前記到来した障害情報の部品がその劣化レベル情報となること及び前記到来した障害情報の部品を用意すべきこと」を前記マニュアルファイルにおける前記所定数以上検出された障害情報の部品に対応して記憶するので、保守・操作情報及び障害情報が実際の障害に応じて変更され、適切な情報の提供が可能となる。
【図面の簡単な説明】
【図１】本発明の第１の実施形態である列車検査情報提供システムの構成図。
【図２】本発明の第１の実施形態である列車検査情報提供システムに用いられるテキストファイルの内容を示す図。
【図３】本発明の第１の実施形態である列車検査情報提供システムに用いられるテキスト形式の情報から画像情報と音声情報を検索するためのアドレスが記憶されたテーブルを示す図。
【図４】本発明の第１の実施形態である列車検査情報提供システムに用いられる画像ファイルと音声ファイルの内部構成図。
【図５】本発明の第１の実施形態である列車検査情報提供システムにおける列車検査情報データベースの動作を説明するためのフローチャート。
【図６】本発明の第１の実施形態である列車検査情報提供システムにおけるコンピュータ端末の動作を説明するためのフローチャート。
【図７】本発明の第２の実施形態である保守・点検情報提供システムの構成図。
【図８】本発明の第２の実施形態である保守・点検情報提供システムにおいて検出される障害情報の例を示す図。
【図９】本発明の第２の実施形態である保守・点検情報提供システムにおいて用いられるマニュアルファイルの内容を示す図。
【図１０】本発明の第２の実施形態である保守・点検情報提供システムにおいて用いられるマニュアルファイルの内容を示す図。
【図１１】本発明の第２の実施形態である保守・点検情報提供システムにおいて用いられるマニュアルファイルの内容を示す図。
【図１２】本発明の第２の実施形態である保守・点検情報提供システムにおいて用いられる障害情報ファイルの内容を示す図。
【図１３】本発明の第２の実施形態である保守・点検情報提供システムの動作を説明するためのフローチャート。
【図１４】本発明の第２の実施形態である保守・点検情報提供システムの動作を説明するためのフローチャート。
【図１５】本発明の第２の実施形態である保守・点検情報提供システムの動作を説明するためのフローチャート。
【符号の説明】
１  ネットワーク                    ２  列車検査情報データベース
３−１〜３−ｎ  コンピュータ端末    ４−１〜４−ｎ  表示装置
５−１〜５−ｎ  入力装置            ７  保守データベース
８  遠隔監視システム                ２１、７１  ＷＷＷサーバ
２２  列車検査情報サーバ            ２３  テキストファイル
２４  画像ファイル                  ２５  音声ファイル
７２  保守・点検情報提供サーバ      ７３  障害情報ファイル
７４  マニュアルファイル
【図１】
0004115664.tif 000002
【図２】
0004115664.tif 000003
【図３】
0004115664.tif 000004
【図４】
0004115664.tif 000005
【図５】
0004115664.tif 000006
【図６】
0004115664.tif 000007
【図７】
0004115664.tif 000008
【図８】
0004115664.tif 000009
【図９】
0004115664.tif 000010
【図１０】
0004115664.tif 000011
【図１１】
0004115664.tif 000012
【図１２】
0004115664.tif 000013
【図１３】
0004115664.tif 000014
【図１４】
0004115664.tif 000015
【図１５】
0004115664.tif 000016